(57)【要約】【課題】装置の奥行寸法の増加を招くことなく、カード挿入方向の前後に第１カード及び第２カードをガイドできるとともに、カード挿入口を単純な形状にすることができる。【解決手段】スライド部材４のカード挿入口４ｄの両側壁部に第１カム１３、第２カム１４を設け、これらのカム１３，１４は、第１カード１の挿入時には、この第１カード１の挿入動作に伴ってこの第１カード１の厚さ方向に退避しつつ、その退避途中にあっては第１カード１の下面の一部をガイドし、装着位置でこの第１カード１の両側面のそれぞれに設けた第１切欠１ｃ、第２切欠き１ｄに進入して第１カード１をロックし、第２カード２の挿入時には、上述の退避を行なわずにこの第２カード２の側面をガイドするものから成る構成にしてある。【選択図】図３
2008218336.tif 000002
【特許請求の範囲】
【請求項１】
幅寸法の比較的大きい第１カードと、この第１カードよりも幅寸法の小さい第２カードのそれぞれが選択的に挿入されるカード挿入口の側壁部に、挿入された上記第１カード及び上記第２カードのガイドが可能で、上記第１カードの挿入動作に伴ってこの第１カードの厚さ方向に退避し、上記第１カードの装着位置でこの第１カードをロックするとともに、上記第２カードの挿入時には退避を行わないロック部材を備えたことを特徴とするカード用コネクタ装置。
【請求項２】
上記請求項１記載の発明において、
ハウジングと、このハウジングにスライド可能に配置されるトレイ状のスライド部材とを備え、このスライド部材のカード挿入口を形成する側壁部に、上記ロック部材を設けたことを特徴とするカード用コネクタ装置。
【請求項３】
上記請求項１または２記載の発明において、
上記ロック部材が、上記第１カードの退避途中にあっては上記第１カードの下面の一部をガイドし、装着位置でこの第１カードの側面に設けた切欠きに進入して第１カードをロックし、上記第２カードの挿入時には、この第２カードの側面をガイドする回動可能なカムより成ることを特徴とするカード用コネクタ装置。
【請求項４】
上記請求項３記載の発明において、
上記カムが、
その軸心の回りに回動可能な軸部と、
この軸部と一体に設けられ、上記第１カードの挿入時に、この第１カードの下面が摺接して押圧されるテーパ部を有するとともに、上記第２カードの挿入時には、この第２カードの側面をガイドする突起部を具備する作動部とを備えていることを特徴とするカード用コネクタ装置。
【請求項５】
上記請求項３記載の発明において、
上記カムは、上記カード挿入口の両側壁部に配置される第１カムと、第２カムとから成り、これらの第１カムと第２カムは、上記第１カードの上記装着位置で、この第１カードの両側面に設けた切欠きのうちの該当するものに進入可能に配置してあることを特徴とするカード用コネクタ装置。
【請求項６】
上記請求項１または２記載の発明において、
上記ロック部材が、上記第１カードの退避途中にあっては上記第１カードの下面の一部をガイドし、装着位置でこの第１カードの側面に設けた切欠きに進入して第１カードをロックし、上記第２カードの挿入時には、この第２カードの側面をガイドする板ばねより成ることを特徴とするカード用コネクタ装置。
【請求項７】
上記請求項６記載の発明において、
上記板ばねは、上記カード挿入口の両側壁部に配置される第１板ばねと、第２板ばねとから成り、これらの第１板ばねと第２板ばねは、上記第１カードの上記装着位置で、この第１カードの両側面に設けた切欠きのうちの該当するものに進入可能に配置してあることを特徴とするカード用コネクタ装置。
【請求項８】
上記請求項２記載の発明において、
上記第２カードが上記第１カードに比べて肉薄であるとともに、
上記スライド部材に、上記第２カードの厚さ方向を規制しながら、この第２カードをガイドするガイド部材を設けたことを特徴とするカード用コネクタ装置。
【発明の詳細な説明】
【技術分野】
【０００１】
本発明は、幅寸法や厚さの異なる複数のカードの装着が可能なカード用コネクタ装置に関する。
【背景技術】
【０００２】
本発明は、幅寸法や厚さの異なる複数のカードを同一方向から挿入可能なカード用コネクタ装置として、特許文献１に示されるものがある。この特許文献１には、ハウジングの前面部分に、幅広肉厚の第１カード、及び幅狭肉薄の第２カードが挿入される挿入口を備えた構成が開示されている。この挿入口には、第１カード、第２カードそれぞれの幅寸法に適合する第１挿入部、第２挿入部が形成されている。また、挿入口から挿入される第２カードを、その厚さ方向を規制しながらハウジングの所定の装着位置までガイドする案内部材を備えた構成も開示されている。
【特許文献１】特開２００５−１３５６２７公報
【発明の開示】
【発明が解決しようとする課題】
【０００３】
上述した特許文献１に示される従来技術では、案内部材は、幅寸法の大きな第１カードの装着の際、ハウジングの奥側に向かって押されて位置規制されるようになっているので、装置の奥行寸法が大きくなってしまう問題がある。また、カードの挿入口を複数のカードのそれぞれの形状を考慮して形成しなければならず、カード用コネクタ装置の設計、及び製作が煩雑になりやすい。
【０００４】
本発明は、上述した従来技術における実状からなされたもので、その目的は、装置の奥行寸法の増加を招くことなく、カード挿入方向の前後に第１カード及び第２カードをガイドすることができるとともに、カード挿入口を単純な形状にすることができるカード用コネクタ装置を提供することにある。
【課題を解決するための手段】
【０００５】
上記目的を達成するために、本発明は、幅寸法の比較的大きい第１カードと、この第１カードよりも幅寸法の小さい第２カードのそれぞれが選択的に挿入されるカード挿入口の側壁部に、挿入された上記第１カード及び上記第２カードのガイドが可能で、上記第１カードの挿入動作に伴ってこの第１カードの厚さ方向に退避し、上記第１カードの装着位置でこの第１カードをロックするとともに、上記第２カードの挿入時には退避を行わないロック部材を備えたことを特徴としている。
【０００６】
このように構成した本発明は、幅寸法の大きな第１カードが挿入された際には、カード挿入口の側壁部に設けたロック部材が第１カードの挿入動作に伴って第１カードの厚さ方向に、すなわち第１カードの挿入経路を避けるように退避しつつ、このロック部材によって第１カードがガイドされ、装着位置では第１カードの側面の切欠きにカムが進入し、この第１カードがロックされる。また、幅寸法の小さな第２カードが挿入された際には、ロック部材が退避することなく、このロック部材によって第２カードがガイドされる。上述したロック部材の退避方向は、第１カードの厚さ方向となっている。すなわち、装置の奥行寸法の増加を招くことなく、第１カード、第２カードをガイドすることができる。
【０００７】
また、カード挿入口のロック部材の内側部分の寸法を第２カードの幅寸法に適合させた寸法とすることができ、このロック部材の内側部分の寸法よりも大きい寸法を第１カードの挿入が可能なカード挿入口の寸法とすることができる。すなわち、カード挿入口を幅寸法の大きな第１カードに応じた幅寸法とすることができ、カード挿入口の形状の単純化を実現できる。
【０００８】
また、本発明は上記発明において、ハウジングと、このハウジングにスライド可能に配置されるトレイ状のスライド部材とを備え、このスライド部材のカード挿入口を形成する側壁部に、上記ロック部材を設けたことを特徴としている。
【０００９】
このように構成した本発明は、スライド部材のカード挿入口から第１カード、または第２カードを挿入して、これらの第１カード、第２カードをスライド部材に装着させた状態において、スライド部材をハウジングの奥側に向かってスライドさせることにより、第１カード、第２カードをハウジングの所定の装着位置まで移動させることができる。また、所定の装着位置に第１カード、第２カードが装着されている状態から、スライド部材をカード排出方向にスライドさせることにより、第１カード、第２カードを排出位置まで移動させることができる。
【００１０】
また、本発明は上記発明において、上記ロック部材が、上記第１カードの退避途中にあっては上記第１カードの下面の一部をガイドし、装着位置でこの第１カードの側面に設けた切欠きに進入して第１カードをロックし、上記第２カードの挿入時には、この第２カードの側面をガイドする回動可能なカムより成ることを特徴としている。このように構成した本発明は、カムの回動を介して第１カードを装着位置に確実にロックすることができる。
【００１１】
また、本発明は上記発明において、上記カムが、その軸心の回りに回動可能な軸部と、この軸部と一体に設けられ、上記第１カードの挿入時に、この第１カードの下面が摺接して押圧されるテーパ部を有するとともに、上記第２カードの挿入時には、この第２カードの側面をガイドする突起部を具備する作動部とを備えていることを特徴としている。
【００１２】
このように構成した本発明は、第１カードの挿入時には、第１カードの下面が作動部の突起部のテーパ部に摺接することにより、これらの作動部が第１カードの厚さ方向に押圧されて軸部と一体に、軸部の軸心の回りに回動して第１カードの挿入経路から退避し、第１カードの挿入を許容させる。また、第２カードの挿入時には、作動部が回動せずに第２カードの側面が作動部の突起部によってガイドされることによって、第２カードの挿入を許容させる。すなわち、作動部の突起部の回動、非回動を介してガイドしながら、第１カード、第２カードを挿入させることができる。
【００１３】
また、本発明は上記発明において、上記カムは、上記カード挿入口の両側壁部に配置される第１カムと、第２カムとから成り、これらの第１カムと第２カムは、上記第１カードの上記装着位置で、この第１カードの両側面に設けた切欠きのうちの該当するものに進入可能に配置してあることを特徴としている。
【００１４】
このように構成した本発明は、第１カードが装着位置に装着された際には、第１カム、第２カムのそれぞれが第１カードの両側面に形成された切欠きに進入し、この第１カードを装着位置において確実にロックすることができる。
【００１５】
また、本発明は上記発明において、上記ロック部材が、上記第１カードの退避途中にあっては上記第１カードの下面の一部をガイドし、装着位置でこの第１カードの側面に設けた切欠きに進入して第１カードをロックし、上記第２カードの挿入時には、この第２カードの側面をガイドする板ばねより成ることを特徴としている。このように構成した本発明は、板ばねの撓み変形を介して第１カードを装着位置に確実にロックすることができる。また、板ばねは自己の弾性力によって初期形態に復帰できるので、ロック部材として別に復帰用のばねを設けることを要しない。
【００１６】
また、本発明は上記発明において、上記板ばねは、上記カード挿入口の両側壁部に配置される第１板ばねと、第２板ばねとから成り、これらの第１板ばねと第２板ばねは、上記第１カードの上記装着位置で、この第１カードの両側面に設けた切欠きのうちの該当するものに進入可能に配置してあることを特徴としている。
【００１７】
このように構成した本発明は、第１カードが装着位置に装着された際には、第１板ばね、第２板ばねのそれぞれが第１カードの両側面に形成された切欠きに進入し、この第１カードを装着位置において確実にロックすることができる。
【００１８】
また、本発明は上記発明において、上記第２カードが上記第１カードに比べて肉薄であるとともに、上記スライド部材に、上記第２カードの厚さ方向を規制しながら、この第２カードをガイドするガイド部材を設けたことを特徴としている。このように構成した本発明は、スライド部材に設けたガイド部材によって、第１カードに比べて肉薄の第２カードを、スライド部材に安定して挿入させることができる。
【発明の効果】
【００１９】
本発明は、挿入された第１カード及び第２カードのガイドが可能で、第１カードの挿入動作に伴ってこの第１カードの厚さ方向に退避し、第１カードの装着位置でこの第１カードをロックするとともに、第２カードの挿入時には退避を行わないロック部材を備えた設けたことから、このロック部材によって装置の奥行寸法の増加を招くことなく、カード挿入方向の前後に第１カード及び第２カードをガイドすることができる。これにより、装置の奥行寸法を短くすることができ、装置の小型化を実現できる。また、側壁部に配置されたロック部材の内側部分の寸法を第２カードの幅寸法に適合させた寸法とすることができ、ロック部材の内側部分の寸法よりも大きな寸法を、第１カードが挿入可能なカード挿入口の幅寸法とすればよい。すなわち、カード挿入口を幅寸法の大きな第１カードの幅寸法に応じた寸法とすることができ、カード挿入口の形状の単純化を実現できる。したがって、第１カードの幅寸法のみを考慮してカード挿入口を設計することができ、このカード用コネクタ装置の設計、及び製作を従来よりも簡単にすることができる。
【発明を実施するための最良の形態】
【００２０】
以下，本発明に係るカード用コネクタ装置を実施するための最良の形態を図に基づいて説明する。
【００２１】
［本実施形態に使用される第１カード］
図１は本発明に係るカード用コネクタ装置の一実施形態に使用可能な第１カードを示す図で、（ａ）図は平面図、（ｂ）図は正面図、（ｃ）図は左側面図、（ｄ）図は右側面図、（ｅ）図は背面図、（ｆ）図は裏面図、（ｇ）は斜視図である。
【００２２】
この図１に示す第１カード１は、比較的幅寸法が大きく、肉厚のカードから成り、裏面側の前端部１ａの近傍には、この図１の（ｆ）図に示すように、信号の送受信に際して活用される複数の接触端子１ｂを備えている。後端部１ｅの近傍の両側面には、第１切欠き１ｃ、第２切欠き１ｄがそれぞれ形成されている。後述する本実施形態への挿入、本実施形態からの取り出しは、後端部１ｅを把持することにより行なわれる。
【００２３】
［本実施形態に使用される第２カード］
図２は本発明に係るカード用コネクタ装置の一実施形態に使用可能な第２カードを示す図で、（ａ）図は平面図、（ｂ）図は正面図、（ｃ）図は左側面図、（ｄ）図は右側面図、（ｅ）図は背面図、（ｆ）図は裏面図、（ｇ）は斜視図である。
【００２４】
この図２に示す第２カード２は、第１カード１に比べて幅寸法が小さく、肉薄のカードから成り、裏面側の前端部２ａの近傍には、この図２の（ｆ）図に示すように、信号の送受信に際して活用される複数の接触端子２ｂを備えている。一方の側面に切欠き２ｃを有するとともに、この切欠き２ｃが形成されている同じ側面の前端部２ａ側には、幅寸法を狭めた逃げ部２ｅが形成されている。後述する本実施形態への挿入、本実施形態からの取り出しは、後端部２ｄを把持することによって行なわれる。
【００２５】
上述した第１カード１と第２カード２は、本実施形態に選択的に使用されるが、これらの第１カード１と第２カード２は、幅寸法は互いに異なるものの長さはほぼ同じに設定され、また、それぞれの前端部１ａ，２ａからの接触端子１ｂ，２ｂの位置もほぼ同じに設定されている。
【００２６】
［本実施形態の構成］
図３は本発明に係るカード用コネクタ装置の一実施形態を示す図で、（ａ）図はカバーを外した状態を示す平面図、（ｂ）図は右側面図、（ｃ）図は裏面図である。
【００２７】
本実施形態は、この図３に示すように、本体を形成する合成樹脂製のハウジング３と、装着される第１カード１、第２カード２の幅方向、厚さ方向、及び長さ方向を規制し、第１カード１、または第２カード２が装着された状態でハウジング３内をカード挿入方向の前後にスライド可能なトレイ状のスライド部材４とを備えている。このスライド部材４は、同図３に示す初期形態では、同図３の（ａ）図に示すように、その後端部４ａがハウジング３の挿入口３ａから寸法Ｓ１突出するように配置してある。また、第１カード１、第２カード２がハウジング３の所定の装着位置に配置された際にも、このスライド部材４は、後述するように、その後端部４ａがハウジング３の挿入口３ａから寸法Ｓ２突出するように配置してある。
【００２８】
ハウジング３内には、スライド部材４をカード排出方向に付勢する付勢部材５を配置してある。また、ハウジング３には、第１カード１の接触端子１ｂに接続する複数の金属製の第１接続端子６と、第２カード２の接触端子２ｂに接続する複数の金属製の第２接続端子７とをインサート成形により設けてある。これらの第１接続端子６と第２接続端子７は、互いに接近させて配置してあるとともに、第１接続端子６をハウジング３の手前側に、第２接続端子７をハウジング３の奥側に配置してある。
【００２９】
スライド部材４の後端部４ａ付近のカード挿入口４ａには、スライド部材４に挿入された第１カード１と第２カード２のうちの薄い方のカード、すなわち第２カード２の厚さ方向の動きを規制するように、この第２カード２を弾性支持可能な金属製の板ばねから成る支持部材８を設けてある。この支持部材８は、合成樹脂製のスライド部材４の本体にインサート成形によって設けてある。
【００３０】
スライド部材４の前端部４ｂ付近には、カード挿入方向と直交する方向に延設され、例えばテーパ面を有する突出部４ｃを設けてある。また、この突出部４ｃの付近の手前側には、スライド部材４に挿入された第２カード２の前端部２ａが係合可能な係合部１０を設けてある。スライド部材４のカード挿入口４ｄには切欠き１２を設けてある。
【００３１】
図４は本実施形態に備えられる可動部材を示す図で、（ａ）図は平面図、（ｂ）は正面図、（ｃ）図は左側面図、（ｄ）図は右側面図、（ｅ）図は背面図、（ｆ）図は裏面図、（ｇ）図は斜視図である。
【００３２】
また、本実施形態は、図３，４に示すように、スライド部材４に備えられカード挿入方向の前後に移動可能な可動部材９を備えている。この可動部材９は絶縁材料から成り、図４に示すように、カード挿入方向と直交する方向に延設されるカム板９ａと、スライド部材４の両側壁部に摺接し、カード挿入方向の主に手前側に位置し、カード挿入方向に沿って延設される第１ガイド９ｂ、第２ガイド９ｃと、それぞれカード挿入方向の奥側に延設され、第１ガイド９ｂ側に設けられる第１突起９ｄ、及び第２ガイド９ｃ側に設けられる第２突起９ｅとを一体的に備えている。
【００３３】
図４の（ａ）図等に示すように、可動部材９は第２ガイド９ｃに、第１カード１の前端部１ａが係合可能な係合部９ｃ１を備えている。この可動部材９は、第２カード２がスライド部材４に挿入された際には、この第２カード２の小さな幅寸法に応じて第２カード２に係合せず、したがってカード挿入方向の前後に移動せず、第１カード１がスライド部材４に挿入された際に、この第１カード１の大きな幅寸法に応じて第１カード１に係合し、カード挿入方向の前後に移動可能なものから成っている。
【００３４】
図３に示すように、この可動部材９の第１突起９ｄ、第２突起９ｅには、奥側部分がスライド部材４に係着保持される一対のばね１１が係着されている。すなわち、可動部材９は、これらのばね１１によってスライド部材４のカード挿入口４ｄ方向に付勢されている。
【００３５】
上述したスライド部材４の前端部４ｂに設けられる係合部１０と、可動部材９の第２ガイド９ｃに形成された係合部９ｃ１とによって、スライド部材４に第１カード１または第２カード２を装着させる際に、第１カード１の後端部１ｅを、スライド部材４の後端部４ａから突出させないように位置決めするとともに、第１カード１と第２カード２のそれぞれの接触端子１ｂ，２ｂ位置を互いにカード挿入方向の前後にずらしてこれらの第１カード１、第２カード２をスライド部材４上に位置決めするカード位置決め手段が構成されている。
【００３６】
スライド部材４は、後述のロック機構を介してプッシュ・プッシュ操作されるようになっている。すなわち、スライド部材４に第１カード１または第２カード２が装着された状態で、このスライド部材４の後端部４ａを押すことにより、第１カード１、第２カード２がハウジング３の所定の装着位置に配置された状態でスライド部材４を後述のロック機構によってロックすることができ、このようなロック状態からスライド部材４を押すことにより、ロック機構によるスライド部材４のロックが解除されるようになっている。
【００３７】
また、上述したスライド部材４に設けられる可動部材９のカム板９ａによって、第１カード１がハウジング３の所定の装着位置に配置された際に、第１カード１の接触端子１ｂを第１接続端子６に接続させるとともに、第２接続端子７を第１カード１から離れる方向に退避させ、第２カード２がハウジング３の所定の装着位置に配置された際に、第２カード２の接触端子２ｂを第２接続端子７に接続させるとともに、第１接続端子６を第２カード２から離れる方向に退避させる接続端子退避部材が構成されている。
【００３８】
また、上述したスライド部材４に設けられる可動部材９のカム板９ａは、第２カード２の厚さ方向を規制しながら、この第２カード２をガイドするガイド部材も兼ねている。
【００３９】
上述したスライド部材４のロック機構は、図３に示すように、例えばスライド部材４の一方の側壁部の近傍に設けられ、往路、復路、及びロック部１６ａを有するハートカム１６と、このハートカム１６の往路、復路、及びロック部１６に係合して相対的に摺動するピンを一端に有し、他端がハウジング３に揺動自在に保持される摺動部材１７とから成っている。スライド部材４の他方の側壁部には、第２カード２に形成された切欠き２ｃに係合可能な板ばね１５を配置してある。この板ばね１５も、スライド部材４の本体にインサート成形によって設けられている。
【００４０】
また、本実施形態は、第１カード１と第２カード２のそれぞれが選択的に挿入されるカード挿入口、例えばスライド部材４のカード挿入口４ｄの両側壁部に、図３の（ａ）図に示すように、挿入された第１カード１及び第２カード２のガイドが可能で、第１カード１の挿入動作に伴ってこの第１カード１の厚さ方向に退避し、第１カード１の装着位置でこの第１カード１をロックするとともに、第２カード２の挿入時には退避を行わないロック部材、例えば回動可能な第１カム１３、第２カム１４から成るカムを設けてある。これらの第１カム１３、第２カム１４は、第１カード１の挿入時には、この第１カード１の挿入動作に伴ってこの第１カード１の厚さ方向に、すなわちスライド部材４の下面方向に退避しつつ、その退避途中にあっては第１カード１の下面の一部をガイドし、装着位置でこの第１カード１の両側面のそれぞれに設けた第１切欠き１ｃ、第２切欠き１ｄに進入して第１カード１をロックし、第２カード２の挿入時には、上述の退避を行なわずにこの第２カード２の側面をガイドするものからなっている。
【００４１】
図５は本実施形態に備えられる上述の第１カムを示す図で、（ａ）図は平面図、（ｂ）図は正面図、（ｃ）図は左側面図、（ｄ）図は右側面図、（ｅ）図は背面図、（ｆ）図は裏面図、（ｇ）図は斜視図、図６は本実施形態に備えられる上述の第２カムを示す図で、（ａ）図は平面図、（ｂ）図は正面図、（ｃ）図は左側面図、（ｄ）図は右側面図、（ｅ）図は背面図、（ｆ）図は裏面図、（ｇ）図は斜視図である。
【００４２】
第１カム１３は、図５に示すように、スライド部材４のスライド方向に沿うように延設され、このスライド部材４に保持されるとともに、その軸心の回りに回動可能な軸部１３ａを含んでいる。また、この軸部１３ａと一体に設けられ、スライド部材４への第１カード１の挿入時に、この第１カード１の下面が摺接して押圧される第１テーパ部１３ｂ２１が形成され、スライド部材４への第２カード２の挿入時には、この第２カード２の側面をガイドする突起部１３ｂ２を具備する作動部１３ｂとを備えている。また、この第１カム１３は、スライド部材４のカード挿入口４ｄ側に位置する端部に、挿入された第１カード１をガイドするテーパ部１３ｂ１を備えている。さらに、この第１カム１３の突起部１３ｂ２は、上述した第１テーパ部１３ｂ２１の反対側、すなわち奥側に位置する部分に、スライド部材４に装着された第１カード１を取り出す際に、第１カード１の下面によって押圧される第２テーパ部１３ｂ２２を備えている。
【００４３】
このように構成される第１カム１３は、スライド部材４の一方の側壁部に形成した貫通穴、すなわち空隙部内に配置されるとともに、このスライド部材４の合成樹脂から成る本体にインサート成形されたばねに軸部１３ａが係着され、この軸部１３ａの軸心回りに回動可能にスライド部材４に保持されている。したがって、例えば図３に示す初期形態において、第１カード１がスライド部材４に挿入され、第１カム１３が第１カード１の厚さ方向に、すなわちスライド部材４の下面方向に押圧された際には、上述した空隙部を介して第１カム１３がスライド部材４の下面から突出可能になっている。
【００４４】
第２カム１４も第１カム１３と同様の形状に形成されている。すなわち、図６に示すように、スライド部材４のスライド方向に沿うように延設され、このスライド部材４に保持されるとともに、その軸心の回りに回動可能な軸部１４ａを含んでいる。また、この軸部１４ａと一体に設けられ、スライド部材４への第１カード１の挿入時に、この第１カード１の下面が摺接して押圧される第１テーパ部１４ｂ２１が形成され、スライド部材４への第２カード２の挿入時には、この第２カード２の側面をガイドする突起部１４ｂ２を具備する作動部１４ｂとを備えている。また、この第２カム１４は、スライド部材４のカード挿入口４ｄ側に位置する端部に、挿入された第１カード１をガイドするテーパ部１４ｂ１を備えている。さらに、この第２カム１４の突起部１４ｂ２は、上述した第１テーパ部１４ｂ２１の反対側、すなわち奥側に位置する部分に、スライド部材４に装着された第１カード１を取り出す際に、第１カード１の下面によって押圧される第２テーパ部１４ｂ２２を備えている。
【００４５】
このように構成される第２カム１４も、スライド部材４の他方の側壁部に形成した貫通穴、すなわち空隙部内に配置されるとともに、このスライド部材４の合成樹脂から成る本体にインサート成形されたばねに軸部１４ａが係着され、この軸部１４ａの軸心回りに回動可能にスライド部材４に保持されている。したがって、例えば図３に示す初期状態において、第１カード１がスライド部材４に挿入され、第２カム１４が第１カード１の厚さ方向に、すなわちスライド部材４の下面方向に押圧された際には、上述した空隙部を介して第２カム１４もスライド部材４の下面から突出可能となっている。
【００４６】
［本実施形態への第１カードの挿入］
図７〜１０は、第１カードが挿入された際の本実施形態の動作を示す図で、図７は第１カードが本実施形態に挿入された状態を示し、（ａ）図はカバーを外した状態を示す平面図、（ｂ）図は（ａ）図のＢ１−Ｂ１断面図、（ｃ）図は裏面図である。図８は第１カードが所定の装着位置に装着された状態を示し、（ａ）図はカバーを外した状態を示す平面図、（ｂ）図は（ａ）図のＣ１−Ｃ１断面図、（ｃ）図は裏面図である。図９は第１カードが本実施形態に挿入された際のカムの動作を示し、（ａ）図は第１カムの動作を示す要部斜視図、（ｂ）図は第２カムの動作を示す要部斜視図である。図１０は第１カードの排出に際し第１カードをオーバストロークさせた状態を示し、（ａ）図はカバーを外した状態を示す平面図、（ｂ）図は（ａ）図のＤ１−Ｄ１断面図、（ｃ）図は裏面図である。
【００４７】
上述した図３に示す初期形態にあっては、スライド部材４は、付勢部材５によってカード排出方向に付勢され、その後端部４ａがハウジング３の挿入口３ａから寸法Ｓ１突出した状態で、ハウジング３に保持されている。スライド部材４上に設けられる可動部材９は、一対のばね１１によってスライド部材４のカード挿入口４ｄ方向に付勢され、待機位置に保持されている。スライド部材４のロック機構を形成する摺動部材１７の先端のピンは、ハートカム１６の往路に係合し、これによってスライド部材４はロックが解除された状態に保たれている。また、スライド部材４の両側壁部に設けた第１カム１３、及び第２カム１４のそれぞれは、スライド部材４を形成する本体にインサート成形した上述のばねの力によって、スライド部材１上の第１カード１、第２カード２の挿入経路内に突出するように保持されている。
【００４８】
この図３に示す初期形態に保たれている本実施形態に、幅寸法の比較的大きな第１カード１が挿入されると、図７に示す状態となる。すなわち、第１カード１がスライド部材４のカード挿入口４ｄから挿入されると、第１カード１の前端部１ａが、図５に示す第１カム１３の作動部１３ｂのテーパ部１３ｂ２、図６に示す第２カム１４の作動部１４ｂのテーパ部１４ｂ２に係合してガイドされ、さらにこの第１カード１の前端部１ａが、図５に示す第１カム１３の作動部１３ｂの突起部１３ｂ２に設けられた第１テーパ部１３ｂ２１に係合し、図６に示す第２カム１４の作動部１４ｂの突起部１４ｂ２に設けられた第１テーパ部１４ｂ２１に係合する。これによって、第１カム１３、第２カム１４の作動部１３ｂ，１４ｂの突起部１３ｂ２，１４ｂ２は、第１カード１の下面によって押し下げられ、図９の（ａ）図の矢印２０、（ｂ）図の矢印２２で示すように、軸部１３ａ，１４ａのそれぞれに係着するばねの力に抗してそれぞれの軸部１３ａ，１４ａの軸心の回りに回動し、スライド部材４に形成された上述の空隙部から下方向に突出する。
【００４９】
さらに、第１カード１がスライド部材４に押し込まれると、第１カード１の前端部１ａが可動部材９の第２ガイド９ｃに形成された係合部９ｃ１に係合し、押し込み力を受けた可動部材９は一対のばね１１の力に抗して第１カード１とともにスライド部材４の奥側に向かって移動する。この間、第１カード１の下面の一部は第１カム１３の作動部１３ｂの第１テーパ部１３ｂ２１、及び第２カム１４の作動部１４ｂの第１テーパ部１４ｂ２１によってガイドされ、可動部材９の第１ガイド９ｂ、及び第２ガイド９ｃは、スライド部材４の両側壁部に摺接し、可動部材９は安定した状態でスライド部材４の奥側に向かって移動する。なお、スライド部材４の挿入口４ｄ付近に設けた弾性を有する支持部材８は、図７の（ａ）図に示すように、第１カード１の下面によって押圧されて退避する。
【００５０】
さらに第１カード１が押し込まれ、可動部材９の係合部９ｃ１が形成された第１ガイド９ｃがスライド部材４に設けた係合部１０に係合すると、第１カード１のスライド部材４に対する押し込みは停止する。これによって第１カード１の一方の側面の第１切欠き１ｃが第１カム１３の作動部１３ｂに対向する位置に至り、第１カード１の他方の第２切欠き１ｄが第２カム１４の作動部１４ｂに対向する位置に至り、軸部１３ａ，１４ａのそれぞれに係着する上述のばねの力によって、第１カム１３の作動部１３ｂ、第２カム１４の作動部１４ｂが、図９の（ａ）（ｂ）図の矢印２１，２３で示すように元の状態まで回動し、第１カム１３の作動部１３ｂが第１カード１の第１切欠き１ｃ内に進入し、第２カム１４の作動部１４ｂが第１カード１の第２切欠き１ｄ内に進入し、第１カード１がこれらの第１カム１３と第２カム１４とによってスライド部材４にロックされる。
【００５１】
このようにスライド部材４に第１カード１が装着されたものの、スライド部材４がまだハウジング３に押し込まれない状態においては、図７に示すように、スライド部材４の後端部４ａがハウジング３の挿入口３ａから寸法Ｓ１突出した状態に保たれている。また、ロック機構を形成する摺動部材１７のピンは、ハートカム１６の往路上に配置されている。また、このようにスライド部材４に第１カード１が装着されたときには、スライド部材４の後端部４ａから第１カード１の後端部１ｅが突出しないように、例えばスライド部材４の後端部４ａと第１カード１の後端部１ｅが一致するように、第１カード１はスライド部材４上に保持される。
【００５２】
スライド部材４に第１カード１が装着された状態から、スライド部材４が付勢部材５の付勢力に抗してハウジング３に対して押し込まれると、スライド部材４に設けたハートカム１６の往路上を、ハウジング３に設けた摺動部材１７のピンが相対的に摺動し、第１カード１がハウジング３の所定の装着位置に至ったときに、図８の（ａ）図に示すように、摺動部材１７のピンがハートカム１６のロック部１６ａに係合する。これによって、スライド部材４はハウジング３にロックされる。
【００５３】
この間、ハウジング３の奥側に向かってのスライド部材４のスライドに伴って可動部材９がスライド部材４と一体的にハウジング３の奥側に向かって移動し、第２カード２に対応する第２接続端子７が突出部４ｃのテーパ面によってガイドされ図８の（ｂ）図に示すように、可動部材９のカム板９ａによって押し下げられる。すなわち、第２接続端子７が第１カード１の接触端子１ｂに接触しないように第１カード１から離れる方向に退避させられる。また、このとき第１接続端子６は、可動部材９のカム板９ａによって一旦押し下げられ、カム板９ａの通過後は自身の弾性力によって復帰する方向に揺動し、図８の（ｂ）図に示すように、第１カード１の接触端子１ｂに接触する。すなわち、第１カード１の接触端子１ｂが第１接続端子６に接続される。この状態において、第１カード１に対する信号の送受信が可能となる。
【００５４】
上述したように、第１カード１がハウジング３の所定の装着位置に装着されている状態では、図８に示すように、ハウジング３の後端部３ａからスライド部材４の後端部４ａが、上述した寸法Ｓ１より小さい寸法Ｓ２突出した状態に保たれる。また、このように第１カード１がハウジング３の所定の装着位置に装着されている状態では、第１カード１の後端部１ｅを把持して取り出そうとしても、第１カード１の第１切欠き１ｃ、第２切欠き１ｄ内に進入している第１カム１３、第２カム１４の第１カード１の厚さ方向の動きがハウジング３の第１カード１の装着面によって規制されるので、第１カード１の引き抜き力によってこれらの第１カム１３、第２カム１４が回動することがない。すなわち、ハウジング３の所定の装着位置に装着された第１カード１は、第１カム１３、第２カム１４によってハウジング３及びスライド部材４から取り出せないように保たれる。
【００５５】
第１カード１を排出させる際には、再びスライド部材４の後端部４ａが押し込まれる。これにより、図１０に示すように、スライド部材４が付勢部材５の付勢力に抗してハウジング３の後壁付近までオーバストロークし、ロック機構を形成する摺動部材１７のピンがハートカム１６のロック部１６ａから離脱する。スライド部材４に加えられていた押し込み力が弱められると、付勢部材５の付勢力により、第１カード１が保持されたスライド部材４がカード排出位置までスライドし、上述した図７に示す状態となる。この排出位置にあっては、スライド部材４の後端部４ａは、ハウジング３の挿入口３ａから寸法Ｓ１突出した状態に保たれる。
【００５６】
この間、スライド部材４のハウジング３の挿入口３ａ方向のスライドに伴って、可動部材９がハウジング３の挿入口３ａ方向に移動し、この可動部材９のカム板９ａによって第２カード２に対応する第２接続端子７が一旦押し下げられ、カム板９ａの通過後、突出部４ｃのテーパ面にガイドされ、自身の弾性力によって初期形態に復帰する。また、第１カード１に対応する第１接続端子６は、第１カード１の接触端子１ｂから離れ、カム板９ａによって一旦押し下げられ、カム板９ａの通過後、自身の弾性力によって初期形態に復帰する。また、ロック機構を形成する摺動部材１７のピンは、ハートカム１６の復路上を相対的に摺動し、初期位置に戻る。
【００５７】
この状態において、スライド部材４の切欠き１２を介して第１カード１の後端部１ｅを把持して引き抜くと、第１カード１をスライド部材４から取り出すことができる。
【００５８】
なおこの間、第１カード１の取り出しに伴って、第１カード１の下面の一部が第１カム１３の作動部１３ｂの突起部１３ｂ２に形成された第２テーパ部１３ｂ２２、及び第２カム１４の作動部１４ｂの突起部１４ｂ２に形成された第２テーパ部１４ｂ２２に係合し、これらの第１カム１３の作動部１３ｂ、第２カム１４の作動部１４ｂを第１カード１の厚さ方向に押圧する。図７に示す状態では、第１カム１３、第２カム１４は、ハウジング３の挿入口３ａよりも外方の空間部に位置し、ハウジング３の装着面によるこれらの第１カム１３、第２カム１４の回動が規制されることがなく、第１カード１の厚さ方向の回動が可能となっている。したがって、第１カード１の取り出しに伴って、第１カム１３の作動部１３ｂ、第２カム１４の作動部１４ｂが、軸部１３ａ，１４ａに係着されたばねの力に抗して、図９の（ａ）（ｂ）図の矢印２０，２２方向に回動する。第１カード１が取り出された後には、軸部１３ａ，１４ａに係着されたばねによって、第１カム１３の作動部１３ｂ、第２カム１４の作動部１４ｂが、図９の（ａ）（ｂ）図の矢印２１，２３方向に回動する。これによって本実施形態は、図３に示す初期形態に復帰する。
【００５９】
［本実施形態への第２カードの挿入］
図１１〜１４は、第２カードが挿入された際の本実施形態の動作を示す図で、図１１は第２カードが本実施形態に挿入された状態を示し、（ａ）図はカバーを外した状態を示す平面図、（ｂ）図は（ａ）図のＢ２−Ｂ２断面図、（ｃ）図は裏面図である。図１２は第２カードが所定の装着位置に装着された状態を示し、（ａ）図はカバーを外した状態を示す平面図、（ｂ）図は（ａ）図のＣ２−Ｃ２断面図、（ｃ）図は裏面図である。図１３は第２カードが本実施形態に挿入された際の第１カムの状態を示し、（ａ）図は要部斜視図、（ｂ）図は要部正面図である。図１４は第２カードの排出に際し第２カードをオーバストロークさせた状態を示し、（ａ）図はカバーを外した状態を示す平面図、（ｂ）図は（ａ）図のＤ２−Ｄ２断面図、（ｃ）図は裏面図である。
【００６０】
図３に示す初期形態に保たれている本実施形態に、第１カード１に比べて幅寸法の小さな第２カード２が挿入されると、図１１に示す状態となる。すなわち、第２カード２がスライド部材４のカード挿入口４ｄから挿入されると、第２カード２の両側面が、図１３の（ａ）（ｂ）図に示す例示するように第１カム１３の作動部１３ｂの突起部１３ｂ２、及び第２カム１４の作動部１４ｂの突起部１４ｂ２によってガイドされる。したがって、第１カム１３、第２カム１４が回動することはない。
【００６１】
さらに、第２カード２がスライド部材４に押し込まれると、第２カード２の前端部２ａがスライド部材４に設けられた係合部１０に係合し、停止する。この間、可動部材９の第２ガイド９ｃに形成された係合部９ｃ１は、第２カード２の側面に形成された逃げ部２ｅ内に収容されるのでカード挿入方向に動くことなく保たれる。したがって、第２カード２の下面は可動部材９のカム板９ａによってガイドされる。また、図１１の（ｂ）図に示すように、第２カード２はスライド部材４のカード挿入口４ｄ付近に設けられた支持部材８によって弾性保持され、この支持部材８と図示しないカバーとによって第２カード２は、その厚さ方向の動きが規制される。また、スライド部材４に設けた板ばね１５が、第２カード２の側面に形成した切欠き２ｃに係合し、この第２カード２をスライド部材４にロックする。
【００６２】
このようにスライド部材４に、第２カード２が装着されたものの、スライド部材４がまだハウジング３に押し込まれない状態においては、図１１の（ａ）図に示すように、上述した第１カード１が装着される場合と同様に、スライド部材４の後端部４ａがハウジング３の挿入口３ａから寸法Ｓ１突出した状態に保たれている。
【００６３】
また、ロック機構を形成する摺動部材１７のピンはハートカム１６の往路上に配置されている。また、このようにスライド部材４に第２カード２が装着されたときには、スライド部材４の後端部４ａから第２カード２の後端部２ｄが突出しないように、例えば図１１の（ａ）図に示すように、第２カード２の後端部２ｄがスライド部材４の後端部４ａよりもわずかに奥側に位置するように、第２カード２はスライド部材４上に保持される。このとき第２カード２の後端部２ｄと、スライド部材４の後端部４ａとの距離は、ハウジング３の所定の装着位置に第１カード１、第２カード２が装着された際の、第１カード１の接触端子１ｂと第２カード２の接触端子２ｂとの距離、すなわちハウジング３の第１接続端子６と第２接続端子７との距離にほぼ相当する。
【００６４】
このようにスライド部材４に第２カード２が装着された状態から、スライド部材４が付勢部材５の付勢力に抗してハウジング３に対して押し込まれると、スライド部材４に設けたハートカム１６の往路上を、ハウジング３に設けた摺動部材１７のピンが相対的に摺動し、第２カード２が所定の装着位置に至ったときに、図１２の（ａ）図に示すように、摺動部材１７のピンがハートカム１６のロック部１６ａに係合する。これによって、スライド部材４がハウジング３にロックされる。
【００６５】
この間、ハウジング３の奥側に向かってのスライド部材４のスライドに伴って可動部材９がスライド部材４と一体的にハウジング３の奥側に向かって移動し、第１カード１に対応する第１接続端子６が可動部材９のカム板９ａによって押し下げられる。すなわち第１接続端子６が第２カード２の接触端子２ｂに接触しないように第２カード２から離れる方向に退避させられる。また、このとき第２接続端子７は、スライド部材４に形成された突出部４ｃによって一旦押し下げられた後、図１２の（ｂ）図に示すように、自身の弾性力によって第２カード２の接触端子２ｂに接触する状態となる。すなわち、第２カード２の接触端子２ｂが第２接続端子７に接続される。この状態において、第２カード２に対する信号の送受信が可能となる。
【００６６】
上述のように、第２カード２が所定の装着位置に装着されている状態では、図１２に示すように、ハウジング３の後端部３ａからスライド部材４の後端部４ａが、第１カード１がハウジング３の所定の装着位置に装着された場合と同様に、寸法Ｓ２突出した状態に保たれる。
【００６７】
第２カード２を排出させる際には、再びスライド部材４の後端部４ａが押し込まれる。これにより、図１４に示すように、スライド部材４が付勢部材５の付勢力に抗してオーバストロークし、ロック機構を形成する摺動部材１７のピンがハートカム１６のロック部１６ａから離脱する。スライド部材４に加えられていた押し込み力が弱められると、付勢部材５の付勢力により、第２カード２が保持されたスライド部材４がカード排出位置までスライドし、上述した図１１に示す状態となる。この排出位置にあっては、第１カード１の排出時と同様に、スライド部材４の後端部４ａは、ハウジング３の挿入口３ａから寸法Ｓ１突出した状態に保たれる。
【００６８】
この間、スライド部材４のハウジング３の挿入口３ａ方向のスライドに伴って可動部材９がハウジング３の挿入口３ａ方向に移動し、可動部材９のカム板９ａから第１カード１に対応する第１接続端子６が離脱し、自身の弾性力によって初期状態に復帰する。また、第２カード２に対応する第２接続端子７は、第２カード２の接触端子２ｂから離れた状態となる。また、ロック機構を形成する摺動部材１７のピンは、ハートカム１６の復路上を相対的に摺動し、初期位置に戻る。
【００６９】
この状態において、スライド部材４の切欠き１２を介して第２カード２の後端部２ｄを把持して引き抜くと、板ばね１５と第２カード２の切欠き２ｃとの係合が解かれ、第２カード２をスライド部材４から取り出すことができる。これによって本実施形態は、図３に示す初期形態に復帰する。
【００７０】
［本実施形態の効果］
このように構成した本実施形態によれば、スライド部材４に設けた係合部１０と、可動部材９の第２ガイド９ｃに形成した係合部９ｃ１とによって構成されるカード位置決め手段によって、第１カード１、第２カード２のそれぞれの後端部１ｅ，２ｄを、スライド部材４の後端部４ａから突出させないように位置決めすることができる。また、このカード位置決め手段によって、第１カード１と第２カード２とをスライド部材４内においてカード挿入方向の前後にずらして位置決めすることができる。ハウジング３には、このように第１カード１、第２カード２をずらして配置したことによる第１カード１の接触端子１ｂの位置、第２カード２の接触端子２ｂの位置に応じてそれぞれ対応する第１接続端子６、第２接続端子７をずらして配置することができる。したがって、第１カード１の接触端子１ｂ、第２カード２の接触端子２ｂをそれぞれ該当する第１接続端子６、第２接続端子７に接続させ、電気的不良を生じさせることなく、第１カード１、第２カード２に対する信号の送受信が可能となる。
【００７１】
また、スライド部材４の後端部４ａが押されて、第１カード１、第２カード２がハウジング３の所定の装着位置に装着された際に、スライド部材４の後端部４ａがハウジング３の挿入口３ａから寸法Ｓ２突出するようにスライド部材４を配置してある。これに伴って、第１カード１、第２カード２が排出された際にも、スライド部材４の後端部４ａがハウジング３の挿入口３ａから寸法Ｓ１突出するようになっている。したがって、第１カード１、第２カード２がスライド部材４に装着され、これらの第１カード１、第２カード２がハウジング３の所定の装着位置に装着された際に、ハウジング３の挿入口３ａから突出する部分の寸法はスライド部材４の後端部４ａの寸法であり、第１カード１または第２カード２のそれぞれの装着時で同じ寸法Ｓ２に設定することができる。
【００７２】
また、第１カード１、第２カード２がハヴング３の所定の装着位置に装着されてロックされているスライド部材４を再度押すと、そのロックが解除されてスライド部材４がハウジング３の挿入口３ａから押し出されるようにスライドし、スライド部材４に装着されている第１カード１、第２カード２が排出される。このようなカード排出時においても、ハウジング３の挿入口３ａから突出する部分の寸法、すなわちスライド部材４の後端部４ａの寸法を、第１カード１、第２カード２の排出時で同じ寸法Ｓ１に設定することができる。
【００７３】
したがって、このような長さがほぼ同じで、前端部１ａ，２ａからの接触端子１ｂ，２ｂの位置もほぼ同じ第１カード１、第２カード２を、電気的不良を生じさせることなくハウジング３に装着させることができ、また、ユーザーの使い勝手に影響を与えることなく、これらの第１カード１、第２カード２をハウジング３に装着させ、あるいは排出させることができる。これにより、長さが異なる複数のカードをハウジング３に装着させる場合と同様の優れた使い勝手が得られる。
【００７４】
また、本実施形態は、スライド部材４のカード挿入口４ｄに切欠き１２を設けたことから、この切欠き１２を介してスライド部材４に装着された第１カード１、第２カード２を把持し、抜き取ることができ、これらの第１カード１、第２カード２の取り出しを容易に行なうことができる。これによっても、優れた使い勝手を確保することができる。
【００７５】
また、第１カード１と第２カード２のうちの薄い方のカード、すなわち第２カード２の厚さ方向の動きを規制するように、この第２カード２を弾性支持可能な支持部材８を備えたことから、支持部材８を介して薄い方のカードである第２カード２もスライド部材４に安定して装着させることができ、信頼性の高い装置を実現できる。
【００７６】
また、本実施形態によれば、第１カード１がハウジング３の所定の装着位置に装着された際には、接続端子退避部材、すなわち可動部材９のカム板９ａによって、第２カード２の接触端子２ｂに対応する第２接続端子７を第１カード１から離れる方向に退避させた状態で、第１カード１の接触端子１ａを第１接続端子６に接続させ、この第１カード１に対する信号の送受信を実現させることができる。また、第２カード２がハウジング３の所定の装着位置に装着された際には、可動部材９のカム板９ａによって、第１カード１の接触端子１ｂに対応する第１接続端子６を第２カード２から離れるように退避させた状態で、第２カード２の接触端子２ｂを第２接続部材７に接続させ、この第２カード２に対する信号の送受信を実現させることができる。
【００７７】
このようなことから、ハウジング３の第１接続端子６と第２接続端子７とを接近させて配置することが可能になり、本実施形態のように第１接続端子６と第２接続端子７とを接近させてハウジング３内に配置させれば、ハウジング３の奥側の所定の装着位置に配置されるカード、すなわち第２カード２であっても、カード排出時にスライド部材４から容易に取り出すことができ、優れた使い勝手を確保することができる。また、ハウジング３のカード挿入方向の寸法を比較的短くすることができ、このような長さがほぼ同じで、それらのカードの接触端子１ｂ，２ｂの前端部１ａ，２ａからの位置もほぼ同じ第１カード１、第２カード２が装着される装置の小型化を実現させることができる。
【００７８】
また、スライド部材４に設けた可動部材９のカム板９ａによって、接続端子退避部材を構成してあることから、この接続端子退避部材の構成を簡単にすることができ、高い実用性が得られる。
【００７９】
また、本実施形態によれば、幅寸法の大きな第１カード１が挿入された際には、スライド部材４のカード挿入口４ｄの例えば両側壁部に設けた第１カム１３、第２カム１４が第１カード１の挿入動作に伴って第１カード１の厚さ方向に、すなわち第１カード１の挿入経路を避けるように退避しつつ、これらの第１カム１３、第２カム１４によって第１カード１の下面の一部がガイドされ、スライド部材４の装着位置では第１カード１の両側面の第１切欠き１ｃ、第２切欠き１ｄに、これらに対応する第１カム１３、第２カム１４のそれぞれが進入し、この第１カード１がスライド部材４にロックされる。また、幅寸法の小さな第２カード２が挿入された際には、第１カム１３、第２カム１４が退避することなく、これらの第１カム１３、第２カム１４の作動部１４ｂによって第２カード２の両側面がガイドされる。第１カム１３、第２カム１４の退避方向は、上述したように第１カード１の厚さ方向となっている。すなわち、装置の奥行寸法の増加を招くことなく、第１カード１、第２カード２をガイドすることができる。これらにより、装置の奥行寸法を短くすることができ、装置の小型化を実現できる。また、カード挿入口４ｄの両側壁部に設けた第１カム１３、第２カム１４のそれぞれによって、スライド部材４の装着位置まで挿入した第１カード１を確実にロックすることができ、スライド部材４をハウジング３内でスライドさせる間、この第１カード１をスライド部材４に安定して保持させることができる。
【００８０】
また、スライド部材４のカード挿入口４ｄの両側壁部の第１カム１３、第２カム１４間の寸法を第２カード２の幅寸法に適合させた寸法とすることができ、この第１カム１３、第２カム１４間の寸法よりも大きい寸法を第１カード１の挿入が可能なカード挿入口４ｄの寸法とすることができる。すなわち、スライド部材４のカード挿入口４ｄを幅寸法の大きな第１カード１に応じた幅寸法とすることができ、スライド部材４のカード挿入口４ｄの形状の単純化を実現できる。したがって、第１カード１の幅寸法のみを考慮してスライド部材４のカード挿入口４ｄを設計することができ、このカード用コネクタ装置の設計、及び製作を簡単にすることができる。
【００８１】
なお、ハウジング３に形成される挿入口３ａは、スライド部材４の挿入を許容させればよいので、このスライド部材４の形状に依存する一義的な形状とすることができる。したがって、このハウジング３の挿入口３ａの形状の単純化も実現できる。
【００８２】
また、本実施形態は、スライド部材４に設けたガイド部材、すなわち可動部材９のカム板９ａによって、第１カード１に比べて肉薄の第２カード２を、スライド部材４に安定して挿入させることができ、信頼性の高い装置とすることができる。
【００８３】
また、第１カム部１３、第２カム１４のそれぞれを、軸部１３ａ，１４ａとそれぞれ一体に設けられ、スライド部材４への第１カード１の挿入時に、この第１カード１の下面が摺接して押圧される第１テーパ部１３ｂ２１，１４ｂ２１を有する突起部１３ｂ２，１４ｂ２を具備する作動部１３ｂ，１４ｂとを備え、これらの第１カム１３、第２カム１４のそれぞれの軸部１３ａ，１４ａに係着されるばねをスライド部材４の本体にインサート成形した構成にしてある。これにより、作動部１３ｂ，１４ｂのそれぞれの突起部１３ｂ２，１４ｂ２の回動、非回動を介してガイドしながら、第１カード１、第２カード２をスライド部材に挿入させることができるとともに、第１カード１がスライド部材４に装着された際には、第１カード１の両側面の第１切欠き１ｃ、第２切欠き１ｄに第１カム１３、第２カム１４のそれぞれを確実に進入させ、この第１カード１をスライド部材４にロックさせることができる。したがって、第１カード１をスライド部材４に安定して保持させることができるとともに、ハウジング３の所定の装着位置に第１カード１が装着された際には、この第１カード１が誤って取り出されることによる第１カード１の接触端子１ｂ、第１接続端子６等を含む信号伝達系統の損傷を確実に防止でき、これによっても信頼性の高い装置とすることができる。
【００８４】
なお、上記実施形態にあっては、可動部材９の第２ガイド９ｃに第１カード１の前端部１ａが係合可能な係合部９ｃ１を設けたが、第２カード２の形状によっては、第１カード１の前端部１ａが係合可能な係合部を第１ガイド９ｂに備えた構成にしてもよく、また、このような係合部を可動部材９の第１ガイド９ｂと第２ガイド９ｃの双方に備える構成としてもよい。
【００８５】
［別の実施形態］
図１５は本実施形態に係るカード用コネクタ装置の別の実施形態を示す図で、第１カード及び第２カードが挿入されないときの状態を示す要部斜視図、図１６は図１５に示す別の実施形態において第１カードが挿入されたときの第１板ばねの動作を示す要部斜視図である。図１７は図１５，１６に示す別の実施形態のスライド部材の左側壁部に備えられる第１板ばねを示す図で、（ａ）図は平面図、（ｂ）図は正面図、（ｃ）図は左側面図、（ｄ）図は右側面図、（ｅ）図は背面図、（ｆ）図は裏面図である。図１８は図１５，１６に示す別の実施形態のスライド部材の右側壁部に備えられる第２板ばねを示す図で、（ａ）図は平面図、（ｂ）図は正面図、（ｃ）図は左側面図、（ｄ）図は右側面図、（ｅ）図は背面図、（ｆ）図は裏面図である。
【００８６】
この別の実施形態は、挿入された第１カード１及び第２カード２のガイドが可能で、第１カード１の挿入動作に伴ってこの第１カード１の厚さ方向に退避し、第１カード１の装着位置でこの第１カード１をロックするとともに、第２カード２の挿入時には退避を行わないロック部材として、上述した実施形態における第１カム１３、第２カム１４に代えて、金属製の板ばね、例えば第１板ばね３０、第２板ばね３１を設けてある。すなわち、これらの第１板ばね３０、第２板ばね３１は、第１カード１の挿入時には、この第１カード１の挿入動作に伴ってこの第１カード１の厚さ方向に退避しつつ、その途中にあっては第１カード１の下面の一部をガイドし、装着位置でこの第１カード１の両側面のそれぞれに設けた第１切欠き１ｃ、第２切欠き１ｄに進入して第１カード１をロックし、第２カード２の挿入時にはこの第２カード２の側面をガイドするものから成っている。
【００８７】
スライド部材４の左側壁部に備えられる第１板ばね３０は、図１７に示すように、スライド部材４の合成樹脂から成る本体にインサート成形される固定部３０ａと、この固定部３０ａに支持され、第１カード１の挿入に伴って撓み変形が可能なアーム部３０ｂと、このアーム部３０ｂのカード挿入口４ｄ側に位置する端部付近に形成され、第１カード１がスライド部材４上の装着位置まで挿入された際に、第１カード１の左側面に形成された第１切欠き１ｃに進入して第１カード１をロックする突部３０ｃとを備えている。この第１板ばね３０の突部３０ｃは、スライド部材４への第１カード１の挿入時に、この第１カード１の前端部１ａが係合する第１テーパ部３０ｃ１を有している。また、この第１テーパ部３０ｃ１の反対側、すなわち奥側に位置する部分に、スライド部材４に装着された第１カード１の取り出し時に、この第１カード１によって押圧される第２テーパ部３０ｃ２を有している。さらに、スライド部材４への第２カード２の挿入時に、この第２カード２の側面をガイドする側壁３０ｃ３を有している。
【００８８】
同様に、スライド部材４の右側壁部に備えられる第２板ばね３１は、図１８に示すように、スライド部材４の合成樹脂から成る本体にインサート成形される固定部３１ａと、この固定部３１ａに支持され、第１カード１の挿入に伴って撓み変形が可能なアーム部３１ｂと、このアーム部３１ｂのカード挿入口４ｄ側に位置する端部付近に形成され、第１カード１がスライド部材４上の装着位置まで挿入された際に、第１カード１の右側面に形成された第２切欠き１ｄに進入して第１カード１をロックする突部３１ｃとを備えている。この第２板ばね３１の突部３１ｃは、スライド部材４への第１カード１の挿入時に、この第１カード１の前端部１ａが係合する第１テーパ部３１ｃ１を有している。また、この第１テーパ部３１ｃ１の反対側、すなわち奥側に位置する部分に、スライド部材４に装着された第１カード１の取り出し時に、この第１カード１によって押圧される第２テーパ部３１ｃ２を有している。さらに、スライド部材４への第２カード２の挿入時に、この第２カード２の側面をガイドする側壁３１ｃ３を有している。
【００８９】
なお、図１５に示すように、第１板ばね３０のアーム部３０ｂの下方に位置するスライド部材４の部分には、第１板ばね３０がスライド部材４の下面方向に押圧された際に、この第１ばね３０のアーム部３０ｂのスライド部材４の下面からの突出を可能にする空隙部３２を形成してある。図示しないが、第２板ばね３１のアーム部３１ｂの下方に位置するスライド部材４の部分にも、第２板ばね３１がスライド部材４の下面方向に押圧された際に、この第２板ばね３１のアーム部３１ｂのスライド部材４の下面からの突出を可能とする空隙部を形成してある。その他の構成は、前述した図３等に示す実施形態と同等である。
【００９０】
このように構成した別の実施形態では、第１カード１及び第２カード２が挿入されない初期形態にあっては、図１５に例示するように、第１板ばね３０、第２板ばね３１が、スライド部材４の空隙部３２等の上方に保持されている。この状態から幅寸法の大きな第１カード１が挿入されると、第１カード１の両側端部が第１板ばね３０、第２板ばね３１のそれぞれの突部３０ｃ，３１ｃの第１テーパ部３０ｃ１，３１ｃ１に係合する。これによって、第１板ばね３０、第２板ばね３１のそれぞれの突部３０ｃ，３１ｃは、第１カード１の下面によって押し下げられる。これに伴って、アーム部３０ｂ，３１ｂも自身の保有する弾性力に抗して図１６に例示するように、押し下げられながら撓み変形し、スライド部材４に形成された上述の空隙部３２等から下方向に突出する。
【００９１】
さらに第１カード１がスライド部材４に押し込まれると、第１カード１の下面の一部は第１板ばね３０、第２板ばね３１のそれぞれの突部３０ｃ，３１ｃによってガイドされながらスライド部材４上の装着位置まで挿入される。このように第１カード１が装着位置に至ると、第１板ばね３０、第２板ばね３１のそれぞれのアーム部３０ｂ，３１ｂの保有する弾性力によって、これらのアーム部３０ｂ，３１ｂに形成した突部３０ｃ，３１ｃが第１カード１の第１切欠き１ｃ、第２切欠き１ｄのそれぞれ対応するものに進入する。これにより、第１カード１がスライド部材４上にロックされる。このように第１カード１がスライド部材４上にロックされた状態で、スライド部材４がハウジング３に押し込まれ、第１カード１が所定の装着位置に装着されると、この第１カード１に対する信号の送受信が可能となる。
【００９２】
このように第１カード１がハウジング３の所定の装着位置に装着されている状態では、第１カード１の後端部１ｅを把持して取り出そうとしても、第１カード１の第１切欠き１ｃ、第２切欠き１ｄ内に進入している突部３０ｃ，３１ｃを有する第１板ばね３０のアーム部３０ｂ、第２板ばね３１のアーム部３１ｂの第１カード１の厚さ方向の動きがハウジング３の第１カード１の装着面によって規制されているので、第１カード１の引き抜き力によって、これらの第１板ばね３０のアーム部３０ｂ、第２板ばね３１のアーム部３１ｂが撓み変形することがない。すなわち、ハウジング３の所定の装着位置に装着された第１カード１は、第１板ばね３０、第２板ばね３１によってハウジング３及びスライド部材４から取り出せないように保たれる。
【００９３】
また、スライド部材４及び第１カード１が排出位置まで排出されたときには、第１カード１の後端部１ｅを把持して引き抜くことにより、第１カード１が第１板ばね３０、第２板ばね３１の突部３０ｃ，３１ｃの第２テーパ部３０ｃ２，３１ｃ２に係合し、この第１カード１によって突部３０ｃ，３１ｃが押し下げられる。これに伴って、アーム部３０ｂ，３１ｂも第１カード１の下面によって押し下げられながら撓み変形し、スライド部材４に形成された空隙部３２等から下方に突出し、第１カード１をスライド部材４から取り出すことができる。
【００９４】
なお、第１カード１の排出位置にあっては、図１５に例示するように、第１板ばね３０、第２板ばね３１のアーム部３０ｂ，３１ｂは、ハウジング３の挿入口３ａよりも外方の空間部に位置し、ハウジング３の装着面によるこれらの第１板ばね３０、第２板ばね３１の撓み変形が規制されることがない。したがって、第１カード１の取り出しに伴って、第１板ばね３０、第２板ばね３１のアーム部３０ｂ，３１ｂは図１６に例示するように、スライド部材４の下面から突出するように押し下げられ、第１カード１を容易に取り出すことができる。第１カード１が取り出された後には、これらの第１板ばね３０、第２板ばね３１のアーム部３０ｂ，３１ｂの自身が保有する弾性力により、図１５に例示するように初期形態に復帰する。
【００９５】
また、この別の実施形態に、第１カード１に比べて幅寸法の小さな第２カード２が挿入されると、第２カード２の両側面が、第１板ばね３０、第２板ばね３１のそれぞれのアーム部３０ｂ，３１ｂに形成された突部３０ｃ，３１ｃの側壁３０ｃ３，３１ｃ３によってガイドされる。したがって、これらの第１板ばね３０、第２板ばね３１のアーム部３０ｂ，３１ｂが撓み変形することはない。
【００９６】
このように構成した別の実施形態にあっても、第１板ばね３０と第２板ばね３１を備えたことによって第１カード１及び第２カード２のガイドが可能であるとともに、第１カード１をロックすることができるので、上述した図３等に示した実施形態におけるのと同等の作用効果を得ることができる。また特に、上述した第１実施形態は、ロック部材として第１カム１３、第２カム１４の他に、これらの第１カム１３、第２カム１４の軸部１３ａ，１４ａに係着され、スライド部材４の本体にインサート成形される復帰用のばねを要したが、この第２実施形態にあっては、第１板ばね３０、第２板ばね３１が上述した復帰用のばねの機能を有するので、このようなばねを別に設けることを要しない。すなわち、この第２実施形態では、ロック部材として第１板ばね３０、第２板ばね３１のそれぞれ一部材を設けるだけで済み、この点で第１実施形態に比べて製作費を安くすることができる。
【図面の簡単な説明】
【００９７】
【図１】本発明に係るカード用コネクタ装置の一実施形態に使用可能な第１カードを示す図で、（ａ）図は平面図、（ｂ）図は正面図、（ｃ）図は左側面図、（ｄ）図は右側面図、（ｅ）図は背面図、（ｆ）図は裏面図、（ｇ）は斜視図である。
【図２】本発明に係るカード用コネクタ装置の一実施形態に使用可能な第２カードを示す図で、（ａ）図は平面図、（ｂ）図は正面図、（ｃ）図は左側面図、（ｄ）図は右側面図、（ｅ）図は背面図、（ｆ）図は裏面図、（ｇ）は斜視図である。
【図３】本発明に係るカード用コネクタ装置の一実施形態を示す図で、（ａ）図はカバーを外した状態を示す平面図、（ｂ）図は右側面図、（ｃ）図は裏面図である。
【図４】本実施形態に備えられる可動部材を示す図で、（ａ）図は平面図、（ｂ）は正面図、（ｃ）図は左側面図、（ｄ）図は右側面図、（ｅ）図は背面図、（ｆ）図は裏面図、（ｇ）図は斜視図である。
【図５】本実施形態に備えられる第１カムを示す図で、（ａ）図は平面図、（ｂ）図は正面図、（ｃ）図は左側面図、（ｄ）図は右側面図、（ｅ）図は背面図、（ｆ）図は裏面図、（ｇ）図は斜視図である。
【図６】本実施形態に備えられる第２カムを示す図で、（ａ）図は平面図、（ｂ）図は正面図、（ｃ）図は左側面図、（ｄ）図は右側面図、（ｅ）図は背面図、（ｆ）図は裏面図、（ｇ）図は斜視図である。
【図７】本実施形態の動作を示す図で、第１カードが本実施形態に挿入された状態を示し、（ａ）図はカバーを外した状態を示す平面図、（ｂ）図は（ａ）図のＢ１−Ｂ１断面図、（ｃ）図は裏面図である。
【図８】本実施形態の動作を示す図で、第１カードが所定の装着位置に装着された状態を示し、（ａ）図はカバーを外した状態を示す平面図、（ｂ）図は（ａ）図のＣ１−Ｃ１断面図、（ｃ）図は裏面図である。
【図９】本実施形態の動作を示す図で、第１カードが本実施形態に挿入された際のカムの動作を示し、（ａ）図は第１カムの動作を示す要部斜視図、（ｂ）図は第２カムの動作を示す要部斜視図である。
【図１０】本実施形態の動作を示す図で、第１カードの排出に際し第１カードをオーバストロークさせた状態を示し、（ａ）図はカバーを外した状態を示す平面図、（ｂ）図は（ａ）図のＤ１−Ｄ１断面図、（ｃ）図は裏面図である。
【図１１】本実施形態の動作を示す図で、第２カードが本実施形態に挿入された状態を示し、（ａ）図はカバーを外した状態を示す平面図、（ｂ）図は（ａ）図のＢ２−Ｂ２断面図、（ｃ）図は裏面図である。
【図１２】本実施形態の動作を示す図で、第２カードが所定の装着位置に装着された状態を示し、（ａ）図はカバーを外した状態を示す平面図、（ｂ）図は（ａ）図のＣ２−Ｃ２断面図、（ｃ）図は裏面図である。
【図１３】本実施形態の動作を示す図で、第２カードが本実施形態に挿入された際の第１カムの状態を示し、（ａ）図は要部斜視図、（ｂ）図は要部正面図である。
【図１４】本実施形態の動作を示す図で、第２カードの排出に際し第２カードをオーバストロークさせた状態を示し、（ａ）図はカバーを外した状態を示す平面図、（ｂ）図は（ａ）図のＤ２−Ｄ２断面図、（ｃ）図は裏面図である。
【図１５】本実施形態に係るカード用コネクタ装置の別の実施形態を示す図で、第１カード及び第２カードが挿入されないときの状態を示す要部斜視図である。
【図１６】図１５に示す別の実施形態において第１カードが挿入されたときの第１板ばねの動作を示す要部斜視図である。
【図１７】図１５，１６に示す別の実施形態のスライド部材の左側壁部に備えられる第１板ばねを示す図で、（ａ）図は平面図、（ｂ）図は正面図、（ｃ）図は左側面図、（ｄ）図は右側面図、（ｅ）図は背面図、（ｆ）図は裏面図である。
【図１８】図１５，１６に示す別の実施形態のスライド部材の右側壁部に備えられる第２板ばねを示す図で、（ａ）図は平面図、（ｂ）図は正面図、（ｃ）図は左側面図、（ｄ）図は右側面図、（ｅ）図は背面図、（ｆ）図は裏面図である。
【符号の説明】
【００９８】
１    第１カード
１ａ  前端部
１ｂ  接触端子
１ｃ  第１切欠き
１ｄ  第２切欠き
１ｅ  後端部
２    第２カード
２ａ  前端部
２ｂ  接触端子
２ｃ  切欠き
２ｄ  後端部
２ｅ  逃げ部
３    ハウジング
３ａ  挿入口
４    スライド部材
４ａ  後端部
４ｂ  前端部
４ｄ  カード挿入口
６    第１接続端子
７    第２接続端子
８    支持部材
９    可動部材
９ａ  カム板（ガイド部材）〔接続端子退避部材〕
９ｃ１  係合部（カード位置決め手段）
１０    係合部（カード位置決め手段）
１２    切欠き
１３    第１カム（ロック部材）
１３ａ  軸部
１３ｂ  作動部
１３ｂ２  突起部
１３ｂ２１  第１テーパ部
１４    第２カム（ロック部材）
１４ａ  軸部
１４ｂ  作動部
１４ｂ２  突起部
１４ｂ２１  第１テーパ部
１６    ハートカム
１７    摺動部材
３０    第１板ばね（ロック部材）
３０ａ  固定部
３０ｂ  アーム部
３０ｃ  突部
３０ｃ１  第１テーパ部
３０ｃ３  側壁
３１    第２板ばね（ロック部材）
３１ａ  固定部
３１ｂ  アーム部
３１ｃ  突部
３１ｃ１  第１テーパ部
３１ｃ３  側壁
３２    空隙部
【図１】
2008218336.tif 000003
【図２】
2008218336.tif 000004
【図３】
2008218336.tif 000005
【図４】
2008218336.tif 000006
【図５】
2008218336.tif 000007
【図６】
2008218336.tif 000008
【図７】
2008218336.tif 000009
【図８】
2008218336.tif 000010
【図９】
2008218336.tif 000011
【図１０】
2008218336.tif 000012
【図１１】
2008218336.tif 000013
【図１２】
2008218336.tif 000014
【図１３】
2008218336.tif 000015
【図１４】
2008218336.tif 000016
【図１５】
2008218336.tif 000017
【図１６】
2008218336.tif 000018
【図１７】
2008218336.tif 000019
【図１８】
2008218336.tif 000020